(57)【要約】【課題】部品点数、コスト性を悪化させることなく、２つの基板の組合せの妥当性を判別できる衛生洗浄装置提供することを目的とする。【解決手段】１次側電源基板に設けられた、第一のフォトカプラと、第一のフォトカプラへの通電をオン/オフするトランジスタと、２次側電源基板に設けらた第二の誤組検出抵抗と、２次側電源基板に設けられ、２次側電源基板でゼロクロスタイミングを検知する制御部と、１次側電源基板に設けられ、第二の誤組検出抵抗と第一のフォトカプラとに接続される第一の誤組検出抵抗と、２次側電源基板に設けられ、２次側電源と第一の誤組検出抵抗との間に設けられた第二の誤組検出抵抗より大きい抵抗値の第三の誤組検出抵抗とを備え、制御部は、交流電圧が、第一のフォトカプラがオンする電圧に達した時に、第二の誤組検出抵抗と第一の誤組検出抵抗と第三の誤組検出抵抗の分圧値を読み取る誤組判別モードを有する。【選択図】  図２
2018053698.tif 000002
【特許請求の範囲】
【請求項１】
１次側電源基板と、
２次側電源基板と、
前記１次側電源基板と前記２次側電源基板とを接続するハーネスおよびコネクタと、
前記１次側電源基板に設けられ、交流電源の電圧がオンする閾値を越えると通電する第一のフォトカプラと、
前記１次側電源基板に設けられ、第一のフォトカプラへの通電をオン/オフするトランジスタと、
前記２次側電源基板に設けられ、前記第一のフォトカプラのフォトトランジスタ側に設けられた第二の誤組検出抵抗と、
前記２次側電源基板に設けられ、前記２次側電源基板でゼロクロスタイミングを検知する制御部と、
前記１次側電源基板に設けられ、前記第二の誤組検出抵抗と前記第一のフォトカプラとに接続される第一の誤組検出抵抗と、
前記２次側電源基板に設けられ、２次側電源と前記第一の誤組検出抵抗との間に設けられた前記第二の誤組検出抵抗より大きい抵抗値の第三の誤組検出抵抗と、
を備え、
前記制御部は、交流電圧が、前記第一のフォトカプラがオンする電圧に達した時に、前記第二の誤組検出抵抗と前記第一の誤組検出抵抗と前記第三の誤組検出第三の誤組検出抵抗の分圧値を読み取る誤組判別モードを有することを特徴とする衛生洗浄装置。
【請求項２】
前記制御部は、出力ポートと第一入力ポートと、第二入力ポートと、を備え  
前記制御部は、前記誤組判別モードと、ゼロクロスタイミングを読み取るゼロクロス判別モードと、を有し、
前記制御部は、前記誤組判別モード時では、前記出力ポートからＶＣＣを出力し、前記第二の誤組検出抵抗、前記第三の誤組検出抵抗と第一の誤組検出抵抗の分圧値を前記第一入力ポートで読み取り、
前記ゼロクロス判別モード時では、前記出力ポートを入力ポートとし、前記第一の誤組検出抵抗と前記第三の誤組検出抵抗の分圧値を第二入力ポートで読み取ることを特徴とする請求項１に記載の衛生洗浄装置。
【請求項３】
前記制御部は、前記誤組判別モード時では、前記制御部に備えられた前記第一入力ポートで読み取った前記第二の誤組検出抵抗、前記第三の誤組検出抵抗と第一の誤組検出抵抗の分圧値が任意の電圧を満足しない場合は、任意の動作により作業者に誤組合わせであることを知らせることを特徴とする請求項２に記載の衛生洗浄装置。
【請求項４】
ヒータを制御するヒータ駆動基板と、を有し、
前記制御部は、
前記第一入力ポートで読み取った前記第二の誤組検出抵抗と前記第三の誤組検出抵抗と前記第一の誤組検出抵抗との分圧値によって検出した入力電圧に応じた定数を有し、
前記制御部は、
交流電圧のゼロクロス点をゼロ秒時点とした場合に、前記ゼロクロスタイミングを検知するまでのずれを、前記定数によって、小さくして前記ヒータ駆動基板をオン制御することを特徴とする請求項２に記載の衛生洗浄装置。
【請求項５】
ヒータを制御するヒータ駆動基板と、前記ヒータ駆動基板を制御するトランジスタと、を有し、
前記制御部は、前記第一入力ポートで読み取る前記第三の誤組検出抵抗と前記第一の誤組検出抵抗の分圧値を第一入力ポートで読み取り、
前記制御部は、前記交流電源の電圧、周波数の変動により前記第一のフォトカプラがオンしている時間を、前記第三の誤組検出抵抗と前記第一の誤組検出抵抗の分圧値を前記第一入力ポートで読み取る時間から判別し、
前記トランジスタが前記第一のフォトカプラがオンしている時間をもとに、前記ヒータ駆動基板のオン/オフ制御を行い、
前記ヒータ駆動基板の前記ヒータ駆動基板のオン/オフ制御を基づき、前記ヒータ駆動基板が前記ヒータへの通電時間を制御することを特徴とする請求項２に記載の衛生洗浄装置。
【発明の詳細な説明】
【技術分野】
【０００１】
本発明の態様は、一般的に、衛生洗浄装置に関する。
【背景技術】
【０００２】
近年の衛生洗浄装置に搭載されている部品には収納の観点から小型化や低コスト化が求められている。(例えば先行文献１)。小型化と低コスト化への動きは制御基板も同様である。
【０００３】
製品の小型化に伴い製品内部のスペース上、１次側駆動回路基板(１次側電源基板)と２次側電源基板が分割されて搭載されている。そのため、１次側電源基板で作られた電源をハーネス、コネクタを介して２次側電源基板に供給される構成がある。その際にこの２次側電源基板が仕向け先や製品毎にそれぞれ数種類に分かれているため、２次側電源基板が接続する時に誤った組合せで接続される懸念がある。
【先行技術文献】
【特許文献】
【０００４】
【特許文献１】特開２０１５−２２７６０６
【発明の概要】
【発明が解決しようとする課題】
【０００５】
そのため、仕向け先毎にコネクタ形状を変更して接続出来ないような構成が考えられる。しかし、この構成にするとコストアップや基板形状の増大、基板の型番が分かれ、維持管理付加増大等の課題が生じる。
また１次側電源基板と２次側電源基板の組合せを判別する新規回路を追加すると、コネクタの極数増加による基板面積増大やそれに付随してハーネスの増加によるコストアップ等の課題が生じる。
【０００６】
本発明は、上記問題を解決するためになされたものであり、部品点数、コスト性を悪化させることなく、２つの基板の組合せの妥当性を判別できる衛生洗浄装置提供することを目的とする。
【課題を解決するための手段】
【０００７】
第１の発明は、１次側電源基板と、２次側電源基板と、前記１次側電源基板と前記２次側電源基板とを接続するハーネスおよびコネクタと、前記１次側電源基板に設けられ、交流電源の電圧がオンする閾値を越えると通電する第一のフォトカプラと、前記１次側電源基板に設けられ、前記第一のフォトカプラへの通電をオン/オフするトランジスタと、前記２次側電源基板に設けられ、前記第一のフォトカプラのフォトトランジスタ側に設けられた第二の誤組検出抵抗と、前記２次側電源基板に設けられ、前記２次側電源基板でゼロクロスタイミングを検知する制御部と、前記１次側電源基板に設けられ、前記第二の誤組検出抵抗と前記第一のフォトカプラとに接続される第一の誤組検出抵抗と、前記２次側電源基板に設けられ、２次側電源と前記第一の誤組検出抵抗との間に設けられた前記第二の誤組検出抵抗より大きい抵抗値の前記第三の誤組検出抵抗と、を備え、前記制御部は、交流電圧が、前記第一のフォトカプラがオンする電圧に達した時に、前記第二の誤組検出抵抗と前記第一の誤組検出抵抗と前記第三の誤組検出抵抗の分圧値を読み取る誤組判別モードを有することを特徴とする衛生洗浄装置である。
【０００８】
この衛生洗浄等によれば、交流電圧が第一のフォトカプラがオンする電圧に達した時に、第二の誤組検出抵抗と第一の誤組検出抵抗と第三の誤組検出抵抗の分圧値を制御部が読み取る誤組判別モードで、１次側電源基板と、２次側電源基板とが、正常な接続がなされているかを判断することができる。
よって、仕向け先や製品毎に第一の誤組検出抵抗の定数を変化させることで、制御部が読み取る分圧値が変わるため、部品点数、コスト性を悪化させることなく、１次側電源基板と２次側電源基板との誤組合わせを検知することができる。    
【０００９】
第２の発明は、第１の発明において、前記制御部は、出力ポートと第一入力ポートと、第二入力ポートと、を備え  前記制御部は、前記誤組判別モードと、ゼロクロスタイミングを読み取るゼロクロス判別モードと、を有し、前記制御部は、前記誤組判別モード時では、前記出力ポートからＶＣＣを出力し、前記第二の誤組検出抵抗、前記第三の誤組検出抵抗と第一の誤組検出抵抗の分圧値を前記第一入力ポートで読み取り、前記ゼロクロス判別モード時では、前記出力ポートを入力ポートとし、前記第一の誤組検出抵抗と前記第三の誤組検出抵抗の分圧値を第二入力ポートで読み取ることを特徴とする衛生洗浄装置である。
【００１０】
この衛生洗浄装置によれば、基板の誤組判別と併せて、前記制御部の出力ポート、第一入力ポート、第二入力ポートを切り替えることで、通常動作時には低消費でゼロクロスタイミングを検知できる。
【００１１】
第３の発明は、第２の発明において、前記制御部は、前記誤組判別モード時では、前記制御部に備えられた前記第一入力ポートで読み取った前記第二の誤組検出抵抗、前記抵抗と第一の誤組検出抵抗の分圧値が任意の電圧を満足しない場合は、任意の動作により作業者に誤組合わせであることを知らせることを特徴とする請求項２に記載の衛生洗浄装置である。
【００１２】
この衛生洗浄装置によれば、誤組判別モード時に誤組合わせを検知した場合に、制御部から任意の動作を行うように出力することで、作業者に１次側電源基板と２次側電源基板の誤組合わせであることを知らせることができる。
【００１３】
第４の発明は、第２の発明において、ヒータを制御するヒータ駆動基板と、を有し、前記制御部は、前記第一入力ポートで読み取った前記第二の誤組検出抵抗と前記第三の誤組検出抵抗と前記第一の誤組検出抵抗との分圧値によって検出した入力電圧に応じた定数を有し、前記制御部は、交流電圧のゼロクロス点をゼロ秒時点とした場合に、交流電圧のゼロクロス点をゼロ秒時点とした場合に、前記ゼロクロスタイミングを検知するまでのずれを、前記定数によって、小さくして前記ヒータ駆動基板をオン制御することを特徴とする衛生洗浄装置である。
【００１４】
この衛生洗浄装置によれば、制御部が、交流電圧のゼロクロス点をゼロ秒時点とした場合に、交流電圧のゼロクロス点をゼロ秒時点とした場合に、ゼロクロスタイミングを検知するまでのずれを、定数によって、小さくしてヒータ駆動基板をオン制御するので、ヒータ駆動基板のノイズを低減させることができる。
【００１５】
第５の発明は、第２の発明において、ヒータを制御するヒータ駆動基板と、前記ヒータ駆動基板を制御するトランジスタと、を有し、前記制御部は、前記第一入力ポートで読み取る前記第三の誤組検出抵抗と前記第一の誤組検出抵抗の分圧値を第一入力ポートで読み取り、前記制御部は、前記交流電源の電圧、周波数の変動により前記第一のフォトカプラがオンしている時間を、前記第三の誤組検出抵抗と前記第一の誤組検出抵抗の分圧値を前記第一入力ポートで読み取る時間から判別し、前記トランジスタが前記第一のフォトカプラがオンしている時間をもとに、前記ヒータ駆動基板のオン/オフ制御を行い、前記ヒータ駆動基板の前記ヒータ駆動基板のオン/オフ制御を基づき、前記ヒータ駆動基板が前記ヒータへの通電時間を制御することを特徴とする衛生洗浄装置。
【００１６】
この衛生洗浄装置によれば、交流電源の電圧、周波数に応じた効率的にヒータを制御することができるため、使用者が快適な温度で衛生洗浄装置を使用することができる。
【発明の効果】
【００１７】
本発明によれば部品点数、コスト性を悪化させることなく、２つの基板の組合せの妥当性を判別できる衛生洗浄装置を提供することができる。
【図面の簡単な説明】
【００１８】
【図１】実施形態にかかる衛生洗浄装置を備えたトイレ装置を表す斜視図である。
【図２】第一の実施形態に係る衛生洗浄装置における１次側電源基板と２次側電源基板の電気系の要部構成を表すブロック図である。
【図３】第一の実施形態に係るゼロクロス信号を取り込むタイミングと誤組検出を行うタイミングを示す図である。
【図４】第一の実施形態に係る誤組検出を行う制御方法を表すフローチャートである。
【図５】第二の実施形態に係る衛生洗浄装置における１次側電源基板と２次側電源基板の電気系の要部構成を表すブロック図である。
【図６】第二の実施形態に係るゼロクロス信号を取り込むタイミングと誤組検出を行うタイミングを示す図である。
【図７】第二の実施形態に係る衛生洗浄装置における１次側電源基板と２次側電源基板の電気系の要部構成を表すフローチャートである。
【図８】第三の実施形態に係る衛生洗浄装置における1次側電源基板と、２次側電源基板と、ヒータ駆動基板の電気系の要部構成を表すブロック図である。
【図９】第三の実施形態の係る交流電源とゼロクロス信号を取り込むタイミング（＝ヒータ駆動基板のオン制御）とトライアック動作タイミングを示す図である。
【図１０】第四の実施形態に係る交流電源の変動とそれに伴うヒータの制御を示す図である。
【発明を実施するための形態】
【００１９】
以下、本発明の実施形態について図面を参照しつつ説明する。なお、各図面中、同様の構成要素には同一の符号を付して詳細な説明は適宜省略する。
【００２０】
図１は、実施形態にかかる衛生洗浄装置を備えたトイレ装置を表す斜視図である。
図１に表したトイレ装置１００は、洋式腰掛便器（以下説明の便宜上、単に「便器」と称する）６と、その上に設けられた衛生洗浄装置１と、を備える。衛生洗浄装置１は、便座２と、便蓋３と、ケーシング５と、を有する。便座２および便蓋３は、ケーシング５に対して開閉自在にそれぞれ軸支されている。
【００２１】
ケーシング５の内部には、それぞれの状態に応じて動作を行うための１次側電源基板１０００と２次側電源基板２０００が内蔵されている。
【００２２】
次に、図２を用いて、第一の実施形態にかかる衛生洗浄装置の誤組判別回路の構成について説明する。
図２は、第一の実施形態に係る衛生洗浄装置における１次側電源基板と２次側電源基板の電気系の要部構成を表すブロック図である。
【００２３】
図２に表したように、１次側電源基板１０００はコンデンサ５２８と、ダイオード５０１と、ダイオード５１１と、発光ダイオード５０２とフォトトランジスタ５０３から成る第一のフォトカプラ５２１と、発光ダイオード５１５とフォトトランジスタ５１４から成る第二のフォトカプラ５２２と、抵抗５２３と、第一の誤組検出抵抗５０５と、抵抗５１２と、抵抗５１３と、抵抗５１６と、トランジスタ５１０と、を備える。
【００２４】
１次側電源基板１０００には交流電源５２０が接続されている。交流電源５２０にコンデンサ５２８が接続されている。コンデンサ５２８にダイオード５０１とダイオード５１１が接続されている。ダイオード５０１に抵抗５２３が接続され、ダイオード５１１にトランジスタ５１０と、抵抗５１２が接続されている。抵抗５２３に第一のフォトカプラ５２１が接続されている。トランジスタ５１０に抵抗５１３が接続されている。第一のフォトカプラ５２１に第一の誤組検出抵抗が接続されている。抵抗５１３に第二のフォトカプラ５２２が接続されている。第一のフォトカプラ５２１にコネクタ１００１が接続されている。第二のフォトカプラ５２２に抵抗５１６とコネクタ１００１が接続されている。第一の誤組検出抵抗にコネクタ１００１が接続されている。
【００２５】
第一のフォトカプラ５２１は交流電源５２０の電圧がオンする閾値を越えると通電する。トランジスタ５１０は第一のフォトカプラ５２１への通電をオン/オフする。
【００２６】
２次側電源基板２０００は、第二の誤組検出抵抗５０６と、第三の誤組検出抵抗５０４と、トランジスタ５２４と、抵抗５１８と、抵抗５１９と、制御部５０７と、を備える。第二の誤組検出抵抗５０６は、第一のフォトカプラ５２１のフォトトランジスタ５０３側に設けられている。２次側電源基板２０００は１次側電源基板１０００とコネクタ１００１とハーネス１００２とコネクタ１００３で接続されている。コネクタ１００３に第二の誤組検出抵抗５０６と第三の誤組検出抵抗５０４と制御部５０７とトランジスタ５２４が接続されている。トランジスタ５２４に抵抗５１８と、抵抗５１９が接続されている。抵抗５１９に制御部５０７が接続されている。
【００２７】
制御部５０７はゼロクロスタイミングを検知する。また制御部５０７は、前記第二の誤組検出抵抗、前記第三の誤組検出抵抗と第一の誤組検出抵抗の分圧値を読み取る。
【００２８】
第三の誤組検出抵抗５０４は第二の誤組検出抵抗５０６より大きいものである。
交流電源５２０から１次側電源基板１０００に交流電圧が印加される。この電源は交流電源であり、第一のフォトカプラ５２１は電源の周波数、電圧に応じて駆動するため、第一のフォトカプラ５２１のオン、オフによりゼロクロスのタイミングが２次側電源基板に伝達される。その伝達された値を、制御部５０７が、第一入力ポートで検知する。
【００２９】
ゼロクロス判別モード（通常動作）時は２次側電源基板２０００にある制御部５０７の入出力ポートが入力ポートとされ、第二の誤組検出抵抗５０６に電流が流れず、制御部５０７の第一入力ポートにて、第三の誤組検出抵抗５０４と、第一の誤組検出抵抗５０５の分圧値を制御部５０７が読み取れる。
【００３０】
ゼロクロス判別モード（通常動作）時は、低消費のために制御部５０７の低消費出力ポートで２次側電源基板のトランジスタ５２４を駆動することで、第二のフォトカプラ５２２、トランジスタ５１０がオン、オフされる。
【００３１】
誤組判別モード（誤組検出）時は、制御部５０７にある入出力ポートを出力ポートとし、ＶＣＣ電圧（２次側電源基板駆動電圧）を出力することで、第二の誤組検出抵抗５０６に電流が流れ、第三の誤組検出抵抗５０４、第二の誤組検出抵抗５０６と第一の誤組検出抵抗５０５の分圧値を制御部５０７が第二入力ポートで読み取る。
第三の誤組検出抵抗５０４が第二の誤組検出抵抗５０６よりも抵抗値が小さいため、誤組検出時の第二入力ポートで読み取る分圧値は、通常動作時に第一入力ポートで読み取る分圧値よりも大きくなる。
【００３２】
第一の誤組検出抵抗５０５の値を仕向け先毎に変える（１次側電源基板が変わる）ことにより、誤組検出時は、制御部５０７が第二入力ポートで読み取る値が変わるため、読み取る値が変わることを利用し、作業者は誤組合わせが検出出来る。尚、仕向け先（１次側電源基板）毎に第二入力ポートで読み取る分圧値が変わるため、第二入力ポートはＡＤ入力ポートとする。
【００３３】
次に、図３を参照して、第一の実施形態による誤組検出のタイミングをについて説明する。図３は、第一の実施形態に係る通常動作時にゼロクロス信号を取り込むタイミングと誤組検出時に誤組検出を行うタイミングを示す図である。
【００３４】
図３に表したように、Ａは交流電源５２０の電圧変動を横軸とし、第一のフォトカプラがオンする電圧を表した図である。Ｂは制御部５０７の第一入力ポートが読み取る分圧値、および第一入力ポートの動作、非動作の状態を表した図である。Ｃは制御部５０７の低消費出力ポートの出力の様子を表した図である。Ｄは制御部５０７の入出力ポートの入力ポートと出力ポートの切り替え、及び出力ポート時として動作している時の様子を表した図である。Ｅは制御部５０７が誤組検出時に読み取る値、および誤組検出を行う期間を表した図である。
【００３５】
まず、第一入力ポートはゼロクロス判別モード（通常動作）のみに使用する。通常動作時に第一のフォトカプラ５２１が交流電源５２０の電圧が一定値に達してオンし、且つ低消費出力ポートが０Ｖを出力し、トランジスタ５２４、第二のフォトカプラ５２２、トランジスタ５１０がオンした時にのみ第三の誤組検出抵抗５０４と第一の誤組検出抵抗５０５の分圧値を制御部５０７が第一入力ポートで読み取る。
【００３６】
制御部５０７の低消費出力ポートは通常動作時、誤組検出時いずれも動作を行うが、動作状態により、その動作が異なる。誤組検出時は、常にトランジスタ５１０をオンさせることで第一のフォトカプラ５２１への通電を常時行う。交流電源５２０が本来、第一のフォトカプラ５２１がオンできる電圧に達している期間、第二入力ポートで第三の誤組検出抵抗５０４、第二の誤組検出抵抗５０６と第一の誤組検出抵抗５０５の分圧値を複数回読み取り誤組検出を行うことができるため、ノイズの影響を受けづらくし検出精度が高まる。
【００３７】
通常動作時は低消費の観点から第一のフォトカプラ５２１がオンする前後一定期間低消費出力ポートは０Ｖを出力することで、トランジスタ５２４、第二のフォトカプラ５２２、トランジスタ５１０をそれぞれオンさせる。その後、一定期間が経過すると、制御部５０７の低消費出力ポートはＶＣＣ電圧を出力し、トランジスタ５２４、第二のフォトカプラ５２２、トランジスタ５１０をそれぞれオフさせることで第一のフォトカプラ５２１への通電を遮断し、低消費を図る。
【００３８】
制御部５０７の入出力ポートは誤組検出時にのみ出力ポートとして動作させ、ＶＣＣ電圧を出力し、第二の誤組検出抵抗５０６に電流を流す。出力ポートとして動作させるタイミングは第一入力ポートにより交流電源５２０のゼロクロスタイミングを検知し、誤組判別モード(誤組検出)に入ったときのみである。通常動作時は前記入出力ポートを入力ポートとすることで、第二の誤組検出抵抗５０６に電流が流れないようにする。そのため通常時は、第一のフォトカプラ５２１がオンした時に、第一の誤組検出抵抗５０５と第三の誤組検出抵抗５０４の分圧値を制御部５０７は第一入力ポートで読み取ることができ、交流電源５２０のゼロクロスタイミングを読み取ることが出来る。
【００３９】
最後に制御部５０７の第二入力ポートは誤組検出時のみ使用する。使用するタイミングは入出力ポートが出力ポートとして使用されている間である。この時に制御部５０７が第二入力ポートで読み取る第三の誤組検出抵抗５０４、第二の誤組検出抵抗５０６と第一の誤組検出抵抗５０５の分圧値が、第一の誤組検出抵抗５０５が仕向け先毎に変わる（１次側電源基板が変わる）ことにより変化するため、その違いを利用し制御部５０７は１次側電源基板１０００と２次側電源基板２０００の誤組合わせを検知することが出来る。
【００４０】
次に、図４を参照して、第一の発明の実施形態による誤組検出時の流れについて説明する。図４は、第一の実施形態に係る誤組検出を行う制御方法を表すフローチャートである。
【００４１】
交流電圧印加時は通常動作のため、制御部５０７の入出力ポートは入力ポート、制御部５０７の第一入力ポートは動作状態、制御部５０７の第二入力ポートは非動作状態とする。その後誤組検出時に、制御部５０７の入出力ポートは出力ポート、制御部５０７の第一入力ポートは非動作、制御部５０７第二入力ポートを動作状態とする。誤組検出時は、第三の誤組検出抵抗５０４、第二の誤組検出抵抗５０６と第一の誤組検出抵抗５０５の分圧値を制御部５０７の第二入力ポートで複数回読み取る。その値が任意の値を満足して１次側電源基板１０００と２次側電源基板２０００が正常に繋がれている場合は、誤組検出を終了する。その後、制御部５０７の入出力ポートを入力ポート、制御部５０７の第一入力ポートを動作状態、第二入力ポートは非動作状態とすることで通常動作に復帰する。しかし、誤組検出時に、制御部５０７の第二入力ポートで読み取る値が任意の値を満足しない場合は、１次側電源基板１０００と２次側電源基板２０００が誤組合わせされているため、ブザーや表示出力等により、作業者に異常を知らせる。
【００４２】
次に、図５を用いて、第二実施形態にかかる衛生洗浄装置の誤組判別回路の構成について図２との違いを中心に説明する。
図２との違いは、２次側電源基板２０００にある制御部５０７の入出力ポートを出力ポートとし、２次側電源基板２０００の第二の誤組検出抵抗５０６と制御部５０７との間に抵抗５２５、抵抗５２６、トランジスタ５２７を追加していることである。
【００４３】
追加された２次側電源基板２０００の抵抗５２５、抵抗５２６、トランジスタ５２７はゼロクロス判別モード（通常動作）と誤組判別モード（誤組検出）を切り替えるためのものである。
【００４４】
ゼロクロス判別モード（通常動作）時は２次側電源基板２０００にある制御部５０７の出力ポートでＶＣＣを出力することで、トランジスタ５２７をオフし、第二の誤組検出抵抗５０６に電流が流れず、制御部５０７の第一入力ポートにて第三の誤組検出抵抗５０４と第一の誤組検出抵抗５０５の分圧値を読み取る。
【００４５】
通常動作時は、ゼロクロス検知時の低消費のために制御部５０７の低消費出力ポートで２次側電源基板２０００のトランジスタ５２４を駆動することで、第二のフォトカプラ５２２、トランジスタ５１０をオン、オフする。
【００４６】
誤組判別モード（誤組検出）時は、制御部５０７にある出力ポートから０Ｖを出力し、トランジスタ５２７をオンすることで第二の誤組検出抵抗５０６に電流が流れ、第三の誤組検出抵抗５０４、第二の誤組検出抵抗５０６と第一の誤組検出抵抗５０５の分圧値を制御部５０７が第二入力ポートで読み取る。
第三の誤組検出抵抗５０４が第二の誤組検出抵抗５０６よりも抵抗値が小さいため、誤組検出時の第二入力ポートで読み取る分圧値は、通常動作時に第一入力ポートで読み取る分圧値よりも大きくなる。
【００４７】
第一の誤組検出抵抗５０５の値を仕向け先毎に変える（１次側電源基板が変わる）ことにより、誤組検出時は、制御部５０７が第二入力ポートで読み取る値が変わるため、読み取る値が変わることを利用し、作業者は誤組合わせが検出出来る。尚、仕向け先（１次側電源基板）毎に第二入力ポートで読み取る分圧値が変わるため、第二入力ポートはＡＤ入力ポートとする。
【００４８】
次に、図６を参照して、第二の実施形態に係る誤組検出のタイミングについて図３との違いを中心に説明する。
【００４９】
図３との違いは、Ｄ’として、制御部５０７の出力ポートの出力の様子を表していることである。図６のＡ’は図３のＡと同様で、交流電源５２０の電圧変動を横軸とし、第一のフォトカプラがオンする電圧を表した図である。図６のＢ’は図３のＢと同様で、制御部５０７の第一入力ポートが読み取る分圧値、および第一入力ポートの動作、非動作の状態を表した図である。図６のＣ’は図３のＣと同様で、制御部５０７の低消費出力ポートの出力の様子を表した図である。図６のＥ’は図３のＥと同様で、制御部５０７が誤組検出時に読み取る値、および誤組検出を行う期間を表した図である。
【００５０】
図３と図６の違いは図６のＤ’のみであるため、Ｄ’のみ記載する。
制御部５０７の出力ポートは誤組検出時に０Ｖを出力し、トランジスタ５２７をオンすることで、第二の誤組検出抵抗５０６に電流を流す。オンさせるタイミングは第一入力ポートにより交流電源５２０のゼロクロスタイミングを検知し、誤組判別モード(誤組検出)に入ったときのみである。通常動作時は、制御部５０７の出力ポートはＶＣＣを出力することで、第二の誤組検出抵抗５０６に電流が流れないようにする。そのため通常時は、第一のフォトカプラ５２１がオンした時に、第一の誤組検出抵抗５０５と第三の誤組検出抵抗５０４の分圧値を制御部５０７は第一入力ポートで読み取ることができ、交流電源５２０のゼロクロスタイミングを読み取ることが出来る。
【００５１】
次に、図７を参照して、第二の実施形態に係る誤組検出時の流れについて図４との違いを中心に説明する。
図４との違いは、誤組検出時に使用する制御部５０７の入出力ポートの切り替えを制御部５０７の出力ポートとし、トランジスタ５２７のオンオフとしていることである。
【００５２】
交流電圧印加時は通常動作のため、制御部５０７の出力ポートはトランジスタ５２７をオフさせるためＶＣＣを出力する。誤組検出時に、制御部５０７の出力ポートは０Ｖを出力し、トランジスタ５２７をオン状態とする。誤組検出時は、第三の誤組検出抵抗５０４、第二の誤組検出抵抗５０６と第一の誤組検出抵抗５０５の分圧値を制御部５０７の第二入力ポートで複数回読み取り、その値が任意の値を満足して１次側電源基板１０００と２次側電源基板２０００が正常に繋がれている場合は、誤組検出を終了する。その後、制御部５０７の出力ポートからＶＣＣを出力し、制御部５０７の第一入力ポートを動作状態、制御部５０７の第二入力ポートは非動作状態とすることで通常動作に復帰する。しかし、誤組検出時に、制御部５０７の第二入力ポートで読み取る値が任意の値を満足しない場合は、１次側電源基板１０００と２次側電源基板２０００が誤組合わせされているため、ブザーや表示出力等により、作業者に異常を知らせる。
【００５３】
次に、図８を用いて、第三の実施形態に関する衛生洗浄装置の誤組判別回路の構成について図５との違いを中心に説明する。
図５との違いは、２次側電源基板２０００にある制御部５０７からヒータを駆動するためのトランジスタ５２９、抵抗５３０、抵抗５３１、ヒータ駆動電流を制限するための抵抗５３２を追加している。ヒータ駆動基板３０００は２次側電源基板２０００とコネクタ２００１とハーネス２００２とコネクタ２００３で接続されている。コネクタ２００３に発光ダイオード５３３とフォトトライアック５３４から成るフォトトライアックカプラ５３５が、接続されている。フォトトライアック５３４にはゲート抵抗５３６とトライアックゲート端子５３７、トライアックＴ１端子５３８、トライアックT２端子５３９から成るトライアック５４０のトライアックゲート端子５３７が接続されている。ゲート抵抗５３６の交流電源５２０側にトライアックＴ２端子５３９が接続されている。トライアックＴ１端子５３８はヒータ５４１と接続されており、ヒータ５４１は交流電源５２０と接続されている。
【００５４】
図８の回路動作として、２次側電源基板２０００の制御部５０７からヒータ駆動信号が出力されると、トランジスタ５２９がＯＮされ、Ｖｃｃ電圧がヒータ駆動基板３０００のフォトトライアックカプラ５３５のダイオード５３３に通電され、フォトトライアック５３４がＯＮされる。その後、交流電源５２０がフォトトライアックカプラ５３４を介してトライアック５４０のゲート端子５３７に通電され、トライアック５４０がＯＮすることでトライアックＴ１端子５３８とトライアックＴ２端子５３９間が導通し、ヒータ５４１に交流電源５２０が印加され、ヒータ５４１に電流が流れる。
【００５５】
図９は交流電源５２０とヒータ駆動信号とトライアックＯＮ波形のタイミングチャートである。
【００５６】
図９（ａ）は、制御部５０７からヒータ駆動信号が、交流電源５２０のゼロクロス点からずれa[s]遅れて出力された時のトライアック５４０波形を示している。このときトライアック５４０波形にはノイズＡが生じる。ノイズＡは、ヒータ駆動信号が交流電源５２０のゼロクロス点から遅れれば遅れるほど大きくなる。
【００５７】
そのため、本実施形態での制御部５０７は、第一入力ポートで読み取った第二の誤組検出抵抗５０６と第三の誤組検出抵抗５０４と第一の誤組検出抵抗５０５との分圧値によって検出した入力電圧に応じた定数を有している。この定数は、例えば、分圧値１Ｖ〜２Ｖの場合、定数５００[ｕｓ]、分圧値２Ｖ〜３Ｖの場合、定数６００[ｕｓ]である。ただし、この定数は他の要因に応じて、変更可能なものである。
【００５８】
図９（ｂ）は、本実施形態のヒータ駆動基板のオン制御を示す図である。図９（ｂ）に示すように、制御部は、交流電圧のゼロクロス点をゼロ秒時点とした場合に、ゼロクロスタイミングを検知するまでのずれを、前記定数によって、小さくして前記ヒータ駆動基板をオン制御している。
その結果、トライアック５４０がオン制御されるタイミングが交流電源５２０のゼロクロス点に近づくため、トライアック５４０から生じるノイズＢは、図９（ａ）に示すノイズＡよりも低く抑えることができる。結果として、ヒータ駆動基板３０００のノイズを低減させることができる。
【００５９】
次に、図８、図１０−１、図１０−２、図１０−３、を用いて、第四の実施形態に係る交流電源の変動とそれに伴うヒータ制御の最適化について説明する。
図１０−１、図１０−２、図１０−３は第四の実施形態に係る交流電源の変動とそれに伴うヒータの制御を示す図である。
【００６０】
まず図１０−１を用いて説明する。これは、基準時の第一のフォトカプラの通電時間と、トランジスタ５２９のオン/オフ時間を表す図である。
第一のフォトカプラは交流電源の電圧により第一のフォトカプラに流れる電流が変動することでオン/オフされる。そのため交流電源が基準電圧時に第一のフォトカプラがオンしている時間をa秒とすると、制御部は、第一入力ポートで第三の誤組検出抵抗と第一の誤組検出抵抗の分圧値をa秒間読み取る。
その結果、トランジスタ５２９はa秒をもとに、ヒータ駆動基板をb秒間オン制御を行う。ヒータ駆動基板は、b秒間のオン制御に基づき、ヒータへb秒間通電する。
【００６１】
そこで、次に図１０−２を用いて交流電源電圧が上側に振れた場合を説明する。
第一のフォトカプラは交流電源の電圧により第一のフォトカプラに流れる電流が変動することでオン/オフされる。そのため交流電源が基準電圧時に第一のフォトカプラがオンしている時間をa秒とすると、交流電源電圧が上昇した際は、第一のフォトカプラがオンする時間は、a秒より長いa’秒となる。制御部は、第一入力ポートで第三の誤組検出抵抗と第一の誤組検出抵抗の分圧値をa’秒間読み取れるため、交流電源の電圧上昇を知ることができる。
その結果、トランジスタ５２９はa’秒をもとに、ヒータ駆動基板をb’秒間オン制御を行う。ヒータ駆動基板は、b’秒間のオン制御に基づき、ヒータへb’秒間通電する。
そのため、交流電源電圧の電圧値に応じて、効率的にヒータを制御することができるため、使用者が快適な温度で衛生洗浄装置を使用することができる。
【００６２】
最後に、図１０−３を用いて交流電源電圧が下側に振れた場合を説明する。
第一のフォトカプラは交流電源の電圧により第一のフォトカプラに流れる電流が変動することでオン/オフされる。そのため交流電源が基準電圧時に第一のフォトカプラがオンしている時間をa秒とすると、交流電源電圧が下降した際は、第一のフォトカプラがオンする時間は、a秒より短いa”秒となる。制御部は、第一入力ポートで第三の誤組検出抵抗と第一の誤組検出抵抗の分圧値をa”秒間読み取れるため、交流電源の電圧下降を知ることができる。
その結果、トランジスタ５２９はa”秒をもとに、ヒータ駆動基板をb”秒間オン制御を行う。ヒータ駆動基板は、b”秒間のオン制御に基づき、ヒータへb”秒間通電する。
そのため、交流電源電圧の電圧値に応じて、効率的にヒータを制御することができるため、使用者が快適な温度で衛生洗浄装置を使用することができる。
【符号の説明】
【００６３】
１ 衛生洗浄装置、  ２ 便座、  ３ 便蓋、  ４ 洗浄ノズル、  ５ ケーシング、  ５ａ着座検知センサ、  ６ 便器、  ６ａ ボウル、  ４３ 吐水口、  １００ トイレ装置、５０１ ダイオード、  ５０２ 発光ダイオード、  ５０３ フォトトランジスタ、  ５０４第三の誤組検出抵抗、  ５０５ 第一の誤組検出抵抗、  ５０６ 第二の誤組検出抵抗、  ５０７ 制御部、  ５１０ トランジスタ、  ５１１ ダイオード、  ５１２ 抵抗、  ５１３ 抵抗、  ５１４ フォトトランジスタ、  ５１５ 発光ダイオード、  ５１６ 抵抗、  ５１８  抵抗、  ５１９ 抵抗、  ５２０ 交流電源、  ５２１  第一のフォトカプラ、  ５２２ 第二のフォトカプラ  ５２３  ダイオード、  ５２４  トランジスタ、  ５２５ 抵抗、  ５２６ 抵抗、  ５２７ トランジスタ、  ５２８ コンデンサ、  ５２９  トランジスタ、  ５３０  抵抗、  ５３１  抵抗、  ５３２  抵抗、  ５３３  発光ダイオード、  ５３４  フォトトライアック、  ５３５  フォトトライアックカプラ、  ５３６  抵抗、  ５３７  トライアックゲート端子、  ５３８  トライアックＴ１端子、  ５３９  トライアックＴ２端子、  ５４０  トライアック、  ５４１  ヒータ、  １０００  １次側電源基板、  １００１  コネクタ、  １００２  ハーネス、  １００３  コネクタ、  ２０００  ２次側電源基板、  ２００１  コネクタ、  ２００２  ハーネス、  ２００３  コネクタ、  ３０００  ヒータ駆動基板
【図１】
2018053698.tif 000003
【図２】
2018053698.tif 000004
【図３】
2018053698.tif 000005
【図４】
2018053698.tif 000006
【図５】
2018053698.tif 000007
【図６】
2018053698.tif 000008
【図７】
2018053698.tif 000009
【図８】
2018053698.tif 000010
【図９】
2018053698.tif 000011
【図１０】
2018053698.tif 000012